(57)【要約】【課題】ポップアップさせるため、相互に一部が重なるように折り畳んだ状態の衛生シートを取り出した際、次に続く衛生シートが共に取出されるという「ズル」が生じ難い衛生シートを提供すること。【解決手段】取出口１２ａを有する容器１２内に折り畳まれて複数収容される衛生シートであって、各衛生シートは、取出口側である上方に配置される第１領域１０ａと、第１領域の下方側に折ることで配置される第２領域１０ｂと、第１領域と第２領域との間に折ることで配置される第３領域１０ｃと、を有し、下側に配置される衛生シート１１の第１領域１１ａの少なくとも一部が、隣接して上側に配置される衛生シート１０の第１領域１０ａと第３領域１０ｃの間に配置されることを特徴とする衛生シート。【選択図】図１
2010183959.tif 000002
【特許請求の範囲】
【請求項１】
取出口を有する容器内に折り畳まれて複数収容される衛生シートであって、
各衛生シートは、
前記取出口側である上方に配置される第１領域と、
前記第１領域の下方側に折ることで配置される第２領域と、
前記第１領域と前記第２領域との間に折ることで配置される第３領域と、を有し、
下側に配置される衛生シートの前記第１領域の少なくとも一部が、隣接して上側に配置される衛生シートの前記第１領域と前記第３領域の間に配置されることを特徴とする衛生シート。
【請求項２】
前記衛生シートの折り線に対して垂直方向である折り方向における前記第３領域の長さが、前記第２領域とほぼ等しいことを特徴とする請求項１に記載の衛生シート。
【請求項３】
前記上側に配置される衛生シートの前記第３領域の前記折り方向の長さの半分以上に、前記下側に配置される衛生シートの前記第１領域の一部が配置されていることを特徴とする請求項１又は請求項２に記載の衛生シート。
【請求項４】
前記衛生シートの前記第２領域の前記折り方向の長さが、前記第１領域の長さの半分以下であることを特徴とする請求項１乃至請求項３のいずれかに記載の衛生シート。
【請求項５】
前記衛生シートがウェットティシュであることを特徴とする請求項１乃至請求項３のいずれかに記載の衛生シート。
【発明の詳細な説明】
【技術分野】
【０００１】
本発明は、例えば、ティシュ等のように折り畳まれて容器等に収容される衛生シートに関するものである。
【背景技術】
【０００２】
従来、例えば、薬液が含浸されている複数のウェットティシュ等を容器等に収容する場合は、それぞれを三つ折りにして、重ねて配置している。そして、利用者は、容器等に形成された取出口から、この重ねられたウェットティシュを上から順に取り出す構成となっている。
また、このように重ねて配置されたウェットティシュは、利用者が取り出し易いように、最も上に配置されているウェットティシュの一部が、取出口から突出するように配置される。これをポップアップ方式という。すなわち、ポップアップ方式では、１枚のウェットティシュを取出口から取り出すと、その下に配置されているウェットティシュの一部が取出口から突出するように構成されている。
このようなポップアップ方式を可能にするためには、容器等に収容されている折りたたまれたウェットティシュの一部が、他のウェットティシュの一部と重なるように配置されている必要がある。
そして、このようにウェットティシュを配置するための折り方が従来から種々提案されてきた（例えば、特許文献１）。
【先行技術文献】
【特許文献】
【０００３】
【特許文献１】特開２００７−１４４０５３号公報（図２等）
【発明の概要】
【発明が解決しようとする課題】
【０００４】
ところで、特許文献１の折り方は、変形Ｚ折り等と呼ばれている。図６（ａ）は、特許文献１の変形Ｚ折りで折られたウェットティシュの積層状態を示す概略説明図であり、図６（ｂ）は、図６（ａ）の上側に配置されたウェットティシュを取出口から取出すときの状態を示す概略説明図である。
図６（ａ）に示すように、ウェットティシュ１、２は、容器３内に三つ折りにされた状態で配置されている。また、容器３には、利用者がウェットティシュ１等を取り出すための取出口３ａが形成されている。
ウェットティシュ１等の折り方は次のようになっている。すなわち、先ず、ウェットティシュ１は、図６（ａ）の取出口３ａ側に配置される第１領域１ａと、この第１領域１ａの下側に折られて配置される第２領域１ｂと、この第２領域１ｂの下側に折られて配置される第３領域１ｃとを有するように三つ折りにされる。
また、その下方に配置されるウェットティシュ２は、その第１領域２ａの一部が、上記ウェットティシュ１の第１領域１ａと第２領域１ｂとの間に挟まるように配置される構成となっている。
【０００５】
したがって、利用者が図６（ａ）の取出口３ａ側に配置されるウェットティシュ１を取り出そうとすると、図６（ｂ）に示す状態となる。すなわち、ウェットティシュ１の第１領域１ａ及び第２領域１ｂが取出口３ａから排出されると、同時に第１領域１ａ及び第２領域１ｂに挟まれていたウェットティシュ２の第１領域２ａの一部が、ウェットティシュ１の第２領域１ｂ等に張り付いた状態で取出口３ａから排出される。
このとき、張り付いたウェットティシュ２の第１領域１ａの一部が、その後、ウェットティシュ１と離れれば、ウェットティシュ２の第１領域１ａの一部が取出口３ａから突出して上述の「ポップアップ」状態となる。
しかし、この張り付き状態が強い場合があり、その際、ウェットティシュ２は、ウェットティシュ１と離れず、そのまま排出され、いわゆる「ズル」と称される現象が生じるという問題があった。
このため、従来は、取出口３ａの形状を工夫し、張り付いたウェットティシュ２をウェットティシュ１から引き離すような構造を採用せざるを得なかった。しかし、これでは、製造コストの上昇を招くという問題があった。
【０００６】
そこで、本発明は、ポップアップさせるため、相互に一部が重なるように折り畳んだ状態の衛生シートを取り出した際、次に続く衛生シートが共に取出されるという「ズル」が生じ難い衛生シートを提供することを目的とする。
【課題を解決するための手段】
【０００７】
前記課題は、本発明によれば、取出口を有する容器内に折り畳まれて複数収容される衛生シートであって、各衛生シートは、前記取出口側である上方に配置される第１領域と、前記第１領域の下方側に折ることで配置される第２領域と、前記第１領域と前記第２領域との間に折ることで配置される第３領域と、を有し、下側に配置される衛生シートの前記第１領域の少なくとも一部が、隣接して上側に配置される衛生シートの前記第１領域と前記第３領域の間に配置されることを特徴とする衛生シートにより達成される。
【０００８】
前記構成によれば、下側に配置される衛生シートの第１領域の少なくとも一部が、隣接して上側に配置される衛生シートの第１領域と第３領域の間に配置される。このため、利用者が上側に配置される衛生シートの第１領域を把持して取出口から引き上げると、第１領域が取出口から上方に向かって排出され、次いで、第１領域と第２領域の間の折られている部分が、開いた状態となり、第２領域が第１領域と同様に上方に向かって排出される。このとき、第１領域と第２領域は、利用者の引き上げ力により、取出口から上方に向かう方向である、上下方向に配置される。
次に、第２領域から折れて配置されている第３領域は、第２領域に続いて、上方に向かって移動しようとし、第２領域と第３領域との間の折られている部分が開き、第３領域が、前記上下方向から離れる方向、すなわち、上下方向から横方向に向かって角度をもって傾いて配置される。
【０００９】
つまり、上側に配置される衛生シートの第３領域と、この第３領域に重なっている下側に配置される衛生シートの第１領域の少なくとも一部が、利用者の引き上げ力が働く上下方向から離間するように傾いて配置されることになる。
この状態で、利用者がさらに上側に配置される衛生シートを引き上げると、その引き上げ力は、上側に配置される衛生シートの第３領域と下側に配置される衛生シートの第１領域の重なりを、その端部側、例えば下側等から剥がす方向に加わり、円滑に上側に配置される衛生シートと下側に配置される衛生シートを引き離すことができる。
また、下側に配置される衛生シートの第１領域は、上側に配置される衛生シートの引き上げ力によって、第１領域の一部が上側に配置された衛生シートから引き離されると共に、上方にも移動させられるので、上側に配置された衛生シートから引き離された後、下側に配置される衛生シートの第１領域の一部が取出口から突出するように配置される。
【００１０】
このように、前記構成では、上側に配置された衛生シートを取出口から引き出す際に、下側に配置される衛生シートも一緒に引き出されるという、いわゆる「ズル」が生じ難い構成となっている。
また、このように衛生シートの構成として「ズル」が生じ難いため、従来と異なり、取出口に「ズル」を防ぐ構成を設ける必要がないため、製造コストを低減させることができる。
さらに、上側に配置された衛生シートが引き出された後、下側に配置されるウェットティシュの一部が取出口から突出して配置される、いわゆる「ポップアップ方式」を維持させることもできる。
【００１１】
好ましくは、前記衛生シートの折り線に対して垂直方向である折り方向における前記第３領域の長さが、前記第２領域とほぼ等しいことを特徴とする衛生シートである。
【００１２】
前記構成によれば、衛生シートの第３領域の折り方向の長さが、第２領域の長さとほぼ等しいため、下側に配置される衛生シートの第１領域は、上側に配置される衛生シートの第２領域と重なることなく、上側に配置される衛生シートの第３領域に重なる。
そのため、上側に配置される衛生シートの取り出しに従い、第３領域が傾き、下側に配置される衛生シートが剥がれやすくなる。
【００１３】
好ましくは、前記上側に配置される衛生シートの前記第３領域の前記折り方向の長さの半分以上に、前記下側に配置される衛生シートの前記第１領域の一部が配置されていることを特徴とする衛生シートである。
【００１４】
前記構成によれば、上側の衛生シートを引き上げた際に、より確実に下側の衛生シートを引き上げる（ポップアップする）ことができ、加えて、上側の衛生シートの第３領域を第２領域から剥がすことができる。
【００１５】
好ましくは、前記衛生シートの前記第２領域の前記折り方向の長さが、前記第１領域の長さの半分以下であることを特徴とする衛生シートである。
【００１６】
前記構成によれば、衛生シートの第２領域の折り方向の長さが、第１領域の長さの半分以下であるので、複数の衛生シートが折り畳まれた状態で、中央部分が盛り上がることがなく均等な厚みにすることができる。
【００１７】
好ましくは、前記衛生シートがウェットティシュであることを特徴とする衛生シートである。
【発明の効果】
【００１８】
本発明は、ポップアップさせるため、相互に一部が重なるように折り畳んだ状態の衛生シートを取り出した際、次に続く衛生シートが共に取出されるという「ズル」が生じ難い衛生シートを提供できるという利点がある。
【図面の簡単な説明】
【００１９】
【図１】本発明の実施の形態に係る、折り畳んだ衛生シートである例えば、折り畳んだウェットティシュを複数積層したウェットティシュ群を容器に収容した状態を示す概略説明図である。
【図２】（ａ）は、上側ウェットティシュの展開図等を示す概略説明図であり、（ｂ）は、下側ウェットティシュ１１の展開図等を示す概略説明図である。
【図３】上側ウェットティシュが引き出される状態を示す概略説明図である。
【図４】上側ウェットティシュが引き出される状態を示す他の概略説明図である。
【図５】上側ウェットティシュが引き出される状態を示す他の概略説明図である。
【図６】（ａ）は、特許文献１の変形Ｚ折りで折られたウェットティシュの積層状態を示す概略説明図であり、（ｂ）は、（ａ）の上側に配置されたウェットティシュを取出口から取出すときの状態を示す概略説明図である。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の実施の形態に係る、折り畳んだ衛生シートである例えば、折り畳んだウェットティシュを複数積層したウェットティシュ群を容器１２に収容した状態を示す概略説明図である。
図１に示すように、容器１２は、薬液等を含浸させたウェットティシュを取り出すための取出口１２ａを有している。この取出口１２ａは、図１に示すように、容器１２の上面の中央部分に形成されている。また、容器１２内には、上側に配置されるウェットティシュである上側ウェットティシュ１０と、その下側に配置される下側ウェットティシュ１１を有している。
【００２２】
上側ウェットティシュ１０は、取出口１２ａ側である上方に配置される上側ウェットティシュの第１領域１０ａと、この上側ウェットティシュの第１領域１０ａと連接し、折り曲げて、上側ウェットティシュの第１領域１０ａの下方側に配置されている上側ウェットティシュの第２領域１０ｂとを有している。さらに、上側ウェットティシュ１０は、上側ウェットティシュの第２領域１０ｂと連接し、折り曲げて、上側ウェットティシュの第１領域１０ａと上側ウェットティシュの第２領域１０ｂとの間に配置される上側ウェットティシュの第３領域１０ｃを有している。
すなわち、この上側ウェットティシュの第３領域１０ｃは、上側ウェットティシュの第２領域１０ｂの上に配置されている。
【００２３】
一方、図１に示す下側ウェットティシュ１１も上側ウェットティシュ１０と同様に、下側ウェットティシュの第１領域１１ａ、下側ウェットティシュの第２領域１１ｂ、下側ウェットティシュの第３領域１１ｃを有している。
【００２４】
図２（ａ）は、上側ウェットティシュ１０の展開図等を示す概略説明図であり、図２（ｂ）は、下側ウェットティシュ１１の展開図等を示す概略説明図である。
図２（ａ）（ｂ）に示すように、上側ウェットティシュ１０（下側ウェットティシュ１１）の長手方向（ウェットティシュの折り線に対して垂直方向である折り方向に相当）である図のＹ１（Ｙ２）方向における上側ウェットティシュの第１領域１０ａ（下側ウェットティシュの第１領域１１ａ）の長さは、全長の約半分程度となっている。
また、上側ウェットティシュの第２領域１０ｂ（下側ウェットティシュの第２領域１１ｂ）と上側ウェットティシュの第３領域１０ｃ（下側ウェットティシュの第３領域１１ｃ）は、図２（ａ）（ｂ）に示すように、それぞれ、上側ウェットティシュの第１領域１０ａ（下側ウェットティシュの第１領域１１ａ）の長さの約半分となっている。
そして、図２（ａ）（ｂ）に示すように、上側ウェットティシュの第２領域１０ｂ（下側ウェットティシュの第２領域１１ｂ）の長さは、上側ウェットティシュの第３領域１０ｃ（下側ウェットティシュの第３領域１１ｃ）の長さとほぼ等しくなるように形成されている。
さらに、図２（ａ）（ｂ）に示すように、上側ウェットティシュの第２領域１０ｂ等の長さは、第１領域１０ａ等より短く、その半分以下の長さとなっている。
【００２５】
このように、上側ウェットティシュ１０と下側ウェットティシュ１１は、共に、同じ構成比率で、第１領域（１０ａ、１１ｂ）、第２領域（１０ｂ、１１ｂ）及び第３領域（１０ｃ、１１ｃ）を有しており、相違点はこれら第１領域（１０ａ、１１ａ）、第２領域（１０ｂ、１１ｂ）及び第３領域（１０ｃ、１１ｃ）の配置順が反対になっており、折り曲げ方向が反対になっているだけである(図２（ａ）（ｂ）参照）。
【００２６】
また、図１に示すように、上側ウェットティシュ１０の第１領域１０ａと上側ウェットティシュの第３領域１０ｃとの間に、下側ウェットティシュ１１の第１領域１１ａの一部である先端部が配置される構成となっている。
具体的には、上側ウェットティシュの第３領域１０ｃの長手方向（ウェットティシュの折り線に対して垂直方向である折り方向に相当）である図２のＹ１（Ｙ２）方向の長さの半分以上に、下側ウェットティシュ１１の第１領域１１ａの一部が配置される構成となっている。
なお、下側ウェットティシュ１１の下側に配置されるウェットティシュは、上側ウェットティシュ１０と同様の構成となっており、その第１領域の一部を下側ウェットティシュの第１領域と第３領域の間に配置する構成となっている。このように、上側ウェットティシュ１０と下側ウェットティシュ１１が交互に連続して配置される構成となっている。
【００２７】
本実施の形態に係るウェットティシュ群は、容器１２内に上述のように配置されているが、以下、このように構成されたウェットティシュ群の動きを、上側ウェットティシュ１０及び下側ウェットティシュ１１を例に詳細に説明する。
先ず、利用者が、図１の取出口１２ａから上側ウェットティシュ１０の上側ウェットティシュの第１領域１０ａを把持して持ち上げると、この上側ウェットティシュの第１領域１０ａが、図において上方に引き上げられる。
すると、上側ウェットティシュの第１領域１０ａと上側ウェットティシュの第２領域１０ｂとの間の折り曲げ部分が開き、上側ウェットティシュの第１領域１０ａに引き続き、上側ウェットティシュの第２領域１０ｂが引き上げられる。
このときの状態を示したのが図３である。図３は、上側ウェットティシュ１０が引き出される状態を示す概略説明図である。
【００２８】
図３に示すように、上側ウェットティシュの第１領域１０ａ及び第２領域１０ｂが取出口１２ａから引き出されると、これら第１領域１０ａと第２領域１０ｂは、図３に示すように、利用者の引き上げ力Ｆによって上下方向に配置される。
そして、このとき、この第２領域１０ｂと重なるように配置されている上側ウェットティシュの第３領域１０ｃも一緒に上下方向に位置する。
また、同時に、上側ウェットティシュの第３領域１０ｃと重なって配置されている下側ウェットティシュの第１領域１１ａも共に上下方向に配置される。
【００２９】
図３の状態から利用者が、更に上側ウェットティシュ１０を引き上げた状態が図４である。図４は、上側ウェットティシュ１０が引き出される状態を示す他の概略説明図である。
図４に示すように、利用者が更に上側ウェットティシュ１０を引き上げると、上側ウェットティシュの第２領域１０ｂと第３領域１０ｃの間の折り曲がり部分に開く方向に力が加わる。
すなわち、図４に示すように、上側ウェットティシュの第３領域１０ｃに下側ウェットティシュの第１領域１１ａが重なって配置されているため、これらの重さ等が作用して、上側ウェットティシュの第３領域１０ｃと、これに重なっている下側ウェットティシュの第１領域１１ａが図４のＲ方向に移動し、傾くことになる。
【００３０】
このように傾いて配置されると、上側ウェットティシュの第３領域１０ｃが、下側ウェットティシュの第１領域１１ａの上側に配置されることになるので、利用者による引き上げ力Ｆが働くと、上側ウェットティシュの第３領域１０ｃが下側ウェットティシュの第１領域１１ａを引き離す方向により力が働くことになる。
特に、図４に示すように、上側ウェットティシュの第３領域１０ｃと下側ウェットティシュの第１領域１１ａが斜めに配置された場合で、利用者の引き上げ力Ｆが上下方向に働くと、上側ウェットティシュの第３領域１０ｃの下側（第２領域１０ｂ側）から順に引き離す力が働く構成となる。
【００３１】
図４の状態から利用者が更に上側ウェットティシュ１０を引き上げた状態が図５である。図５は、上側ウェットティシュ１０が引き出される状態を示す他の概略説明図である。
図５に示すように、利用者が更に上側ウェットティシュ１０を引き上げると、利用者の引き上げ力Ｆにより、上側ウェットティシュの第３領域１０ｃと下側ウェットティシュの第１領域１１ａは、その下側（第２領域１０ｂ側）から順に引き離され、両者は確実に離間されることとなる。
また、上側ウェットティシュの第３領域１０ｃと下側ウェットティシュの第１領域１１ａが完全に離間し、上側ウェットティシュ１０が引き出された後は、下側ウェットティシュの第１領域１１ａの一部が取出口１２ａから突出して形成されるので、いわゆる「ポップアップ方式」の構成となり、利用者が下側ウェットティシュ１１を引き出し易い構成となっている。
【００３２】
このように、本実施の形態では、上側ウェットティシュ１０を引き出すとき、下側ウェットティシュ１１も一緒に引き出される、いわゆる「ズル」という現象が生じ難いので、利用者にとって極めて使い易いウェットティシュとなっている。
また、この「ズル」の防止を、ウェットティシュの折り方等で達成し、従来のように、取出口１２ａの形状等で「ズル」の発生を防止していないので、取出口１２ａの構成を複雑にする必要がなく、製造コストを低減させることができる。
【００３３】
さらに、本実施の形態では、ウェットティシュの長手方向における上側ウェットティシュの第３領域１０ｃ等の長さが、第１領域１０ａ等の長さの半分となっている。
このため、上側ウェットティシュの第３領域１０ｃと下側ウェットティシュの第１領域１１ａとの重なり部分を第１領域１１ａの一部分という少ない面積にすることができ、より確実に両者を引き離すことができる。
【００３４】
また、本実施の形態では、ウェットティシュの長手方向における上側ウェットティシュの第３領域１０ｃの長さが、第２領域１０ｂの長さとほぼ等しいため、下側ウェットティシュ１１の第１領域１１ａは、上側ウェットティシュ１０の第２領域１０ｂと重なることなく、上側ウェットティシュ１０の第３領域１０ｃに重なることになる。
そのため、上側ウェットティシュ１０の取り出しに従い、上側ウェットティシュ１０の第３領域１０ｃが傾き易くなり、下側に配置される下側ウェットティシュ１１の第１領域１１ａが剥がされやすくなる。
【００３５】
また、本実施の形態では、ウェットティシュの長手方向における上側ウェットティシュ１０の第３領域１０ｃの長さの半分以上に、下側ウェットティシュ１１の第１領域１１ａの一部が配置されている。
このため、上側ウェットティシュ１０を引き上げた際に、より確実に下側ウェットティシュ１１を引き上げる（ポップアップする）ことができる。
加えて、この下側ウェットティシュの第３領域１１ｃの重さ等によって、上側ウェットティシュの第３領域１０ｃが第２領域１０ｃから剥がれやすくなり、図４の第３領域１０ｃの傾き状態を形成し易くなる。
【００３６】
また、本実施の形態では、図３等に示すように、ウェットティシュの長手方向における上側ウェットティシュ１０の第２領域１０ｂの長さは、第１領域１０ａより短く、その半分以下の長さしかないため、第１領域１０ａと第２領域１０ｂの間の折り曲げ部分が伸ばされた場合、第２領域１０ｂと第３領域１０ｃとの間の折り曲げ部は、取出口１２ａの下方部分の領域に配置されている。
このため、利用者が、第１領域１０ａを取出口１２ａから引き出し、第１領域１０ａと第２領域１０ｂとの間の折り曲げ部分を延ばすと、続いて、上側ウェットティシュ１０の第３領域１０ｃと下側ウェットティシュ１１の第１領域１１ａの重なり部分を円滑に取出口１２ａから排出させることができ、第２領域１０ｂと第３領域１０ｃとの間の折り曲げ部を開かせることができるので、上側ウェットティシュ１０の円滑な排出動作をより確実に実施させることができる。
【００３７】
本発明は、上述の各実施の形態に限定されない。また、上述の各実施の形態は、相互に組み合わせて構成するようにしてもよい。
【符号の説明】
【００３８】
１０・・・上側ウェットティシュ、１０ａ・・・上側ウェットティシュの第１領域、１０ｂ・・・上側ウェットティシュの第２領域、１０ｃ・・・上側ウェットティシュの第３領域、１１・・・下側ウェットティシュ、１１ａ・・・下側ウェットティシュの第１領域、１１ｂ・・・下側ウェットティシュの第２領域、１１ｃ・・・下側ウェットティシュの第３領域、１２・・・容器、１２ａ・・・取出口
【図１】
2010183959.tif 000003
【図２】
2010183959.tif 000004
【図３】
2010183959.tif 000005
【図４】
2010183959.tif 000006
【図５】
2010183959.tif 000007
【図６】
2010183959.tif 000008